(57)【要約】【課題】接続障害が生じ、この接続障害に対するメンテナンスを行う際に、接続障害が生じた原因に係る情報を、より迅速に取得することで、接続障害に対する作業効率を向上させる。【解決手段】本発明は、接続障害に対応させた発光パターンを生成する生成部１１と、生成部１１により生成された発光パターンに係る情報を、通信端末５０にて取得可能な取得部５１と、取得部５１により取得された発光パターンに係る情報に基づいて、接続障害が生じた原因に係る情報を生成する生成部５２と、生成部５２により生成された接続障害が生じた原因に係る情報を、通信端末５０にて報知可能な報知部５３と、を具備して構成される。【選択図】      図１
2016006595.tif 000002
【特許請求の範囲】
【請求項１】
接続障害に対応させた発光パターンを生成する発光パターン生成手段と、
前記発光パターン生成手段により生成された発光パターンに係る情報を、通信端末にて取得可能な発光パターン情報取得手段と、
前記発光パターン情報取得手段により取得された発光パターンに係る情報に基づいて、接続障害が生じた原因に係る情報を生成する情報生成手段と、
前記情報生成手段により生成された接続障害が生じた原因に係る情報を、前記通信端末にて報知可能な報知手段と、を具備する、
ことを特徴とする状態監視システム。
【請求項２】
前記報知手段は、
前記通信端末の表示部に表示する表示制御手段を具備する、
ことを特徴とする請求項１記載の状態監視システム。
【請求項３】
前記報知手段は、
前記通信端末の情報発信部にて通知する通知制御手段を具備する、
ことを特徴とする請求項１又は２記載の状態監視システム。
【請求項４】
前記発光パターン情報取得手段は、
前記発光パターン生成手段により前記発光パターンが複数生成された場合、複数の発光パターンに係る情報を取得可能である、
ことを特徴とする請求項１乃至３の何れか一項に記載の状態監視システム。
【請求項５】
前記発光パターン情報取得手段は、
前記発光パターン生成手段により生成される全ての発光パターンに係る情報を取得可能である、
ことを特徴とする請求項１乃至４の何れか一項に記載の状態監視システム。
【請求項６】
接続障害に対応させた発光パターンを生成し、
生成した発光パターンに係る情報を通信端末にて取得し、
取得した発光パターンに係る情報に基づいて、接続障害を解消するための情報を生成し、
生成した接続障害解消情報を、前記通信端末にて報知する、
ことを特徴とする状態監視方法。
【発明の詳細な説明】
【技術分野】
【０００１】
本発明は、状態監視システム及び状態監視方法に関し、特に、接続障害が生じ、この接続障害に対するメンテナンスを行う際に、この接続障害が生じた原因に関する情報を取得することが可能な状態監視システム及び状態監視方法に関する。なお、接続障害とは、通信端末間の通信状態に障害が生じていることをいう。また、接続障害が生じた原因として、パッケージに接続されるケーブルの断線、パッケージ自体の故障、通信端末間に入り込むノイズ等による通信不良等が挙げられる。
【背景技術】
【０００２】
通信端末間の接続障害に対するメンテナンスを行う際に、この接続障害が生じた原因に関する情報を取得するものとして、例えば、特許文献１には、障害復旧支援装置及び方法並びにプログラムが開示されている。具体的には、携帯電話のカメラ機能を用いてシステムエラーコード等の画面を撮像し、この撮像した画像を携帯電話にてネットワーク上のサーバに送信している。そして、サーバは、受信した画像に基づいて、接続障害が生じた原因を解析している。また、サーバは、解析が終了すると、通信端末に解析結果として、接続障害が生じた原因に関する情報を送信している。このように、特許文献１には、ネットワーク上のサーバとデータの送受信を行うことで、接続障害が生じた原因に関する情報を取得している旨が開示されている。
【０００３】
また、特許文献２には、コンピュータ関連機器用ラックが開示されている。具体的には、複数の子機を用いてサーバコンピュータの各ラックに設置された報知ＬＥＤを撮像し、この撮像した画像に基づいて、コンピュータ関連機器用ラックが、異常判定を行っている。そして、コンピュータ関連機器用ラックが、異常であると判定した場合には、このコンピュータ関連機器用ラックにて管理コンピュータに異常であることを通知している。なお、「ＬＥＤ」とは「Ｌｉｇｈｔ  Ｅｍｉｔｔｉｎｇ  Ｄｉｏｄｅ」の略である。
【先行技術文献】
【特許文献】
【０００４】
【特許文献１】特開２００８−１２３１５０号公報（段落００２７参照）
【特許文献２】特開２００５−２４２９１６号公報（段落００３９参照）
【発明の概要】
【発明が解決しようとする課題】
【０００５】
ところで、上記特許文献１には、上述したように、撮影した画像に関し、ネットワークを介してサーバに送信し、サーバによる解析を経て、サーバから受信することで、接続障害が生じた原因に関する情報を取得している旨が開示されている。したがって、利用者は、メンテナンスを行う際に、通信端末を用いてシステムエラーコードを撮像し、一度、サーバに送信している。したがって、利用者が通信端末を用いてシステムエラーコードから直に取得するものではなく、サーバを介して取得しているため、迅速に取得するものではない点で改善の余地がある。なぜなら、サーバを介して取得すると、サーバの混線等によりデータを取得するまでに、待ち時間を要してしまう可能性があるからである。このため、上記特許文献１では、例えば、待ち時間等を理由に、接続障害が生じた原因に関する情報を取得するまでに時間を要してしまい、作業効率を低減させてしまう可能性がある。
【０００６】
また、上記特許文献２には、各報知ＬＥＤに対応する複数の子機を用いて、接続障害が生じた原因に関する情報を取得している旨が開示されている。このため、報知ＬＥＤ毎に子機を必要としている。したがって、上記特許文献２では、例えば、複数のラックで接続障害が生じた場合、各報知ＬＥＤから取得しなければならず、作業工程が増大してしまう。このため、上記特許文献２でも、作業工程等の増大を理由に、接続障害が生じた原因に関する情報を取得するまでに時間を要してしまい、作業効率を低減させてしまう可能性がある。
【０００７】
そこで、本発明の目的は、接続障害が生じ、この接続障害に対するメンテナンスを行う際に、接続障害が生じた原因に関する情報を、より迅速に取得することで、接続障害に対する作業効率を向上させることが可能な状態監視システム及び状態監視方法を提供することにある。
【課題を解決するための手段】
【０００８】
上記目的を達成するために、本発明の状態監視システムは、接続障害に対応させた発光パターンを生成する発光パターン生成手段と、上記発光パターン生成手段により生成された発光パターンに係る情報を、通信端末にて取得可能な発光パターン情報取得手段と、上記発光パターン情報取得手段により取得された発光パターンに係る情報に基づいて、接続障害が生じた原因に係る情報を生成する情報生成手段と、上記情報生成手段により生成された接続障害が生じた原因に係る情報を、上記通信端末にて報知可能な報知手段と、を具備して構成される。
【０００９】
上記目的を達成するために、本発明の状態監視方法は、接続障害に対応させた発光パターンを生成し、生成した発光パターンに係る情報を通信端末にて取得し、取得した発光パターンに係る情報に基づいて、接続障害を解消するための情報を生成し、生成した接続障害解消情報を、上記通信端末にて報知している。
【発明の効果】
【００１０】
本発明によれば、接続障害が生じた原因に関する情報を、より迅速に取得することで、接続障害に対する作業効率を向上させることができる。
【図面の簡単な説明】
【００１１】
【図１】本発明の一実施形態（第１の実施形態）の状態監視システムのシステム構成を示すシステム構成図である。
【図２】本発明の一実施形態（第１の実施形態）の状態監視システムにおける状態監視処理のフローチャートである。
【図３】本発明の他の実施形態（第２の実施形態）の状態監視システムのシステム構成を示すシステム構成図である。
【図４】本発明の他の実施形態（第２の実施形態）の状態監視システムにおける生成部のブロック図である。
【図５】本発明の他の実施形態（第２の実施形態）の状態監視システムの生成部により生成される発光パターンの一例を示す図である。
【図６】本発明の他の実施形態（第２の実施形態）の状態監視システムにおける通信端末の報知部の使用状態の一例を示す図である。
【図７】本発明に関連する状態監視システムのシステム構成を示すシステム構成図である。
【図８】本発明に関連する状態監視システムにおける生成部のブロック図である。
【図９】本発明に関連する状態監視システムにおける生成部により生成される発光パターンの一例を示す図である。
【発明を実施するための形態】
【００１２】
以下、図面を用いて、本発明の実施形態について説明する。
【００１３】
（第１の実施形態の状態監視システム）
図１及び図２を用いて、本発明の一実施形態（第１の実施形態）について説明する。まず、図１を用いて、本実施形態（第１の実施形態）の状態監視システムのシステム構成について説明する。図１は、本実施形態の状態監視システムのシステム構成を示すシステム構成図である。
【００１４】
図１に例示されるように、本実施形態の状態監視システムは、生成部（発光パターン生成手段）１１、取得部（発光パターン情報取得手段）５１、生成部（情報生成手段）５２及び報知部（報知手段）５３を具備している。
【００１５】
生成部１１は、装置１０の接続障害に対応させた発光パターンを生成する役目を果たしている。具体的には、この生成部１１は、警報収集用端末８にて送信された警報信号を受信すると、この警報信号を解析し、発光パターンに係る情報（以下、発光パターン信号という）を生成する。これにより、装置１０の図示しない発光部では、生成部１１にて生成された発光パターン信号に基づき、点滅又は点灯からなる発光パターンで発光する。
【００１６】
状態監視システムの取得部５１は、生成部１１により生成された発光パターン信号を、通信端末５０にて取得する役目を果たしている。具体的には、取得部５１は、発光部にて発光している発光パターンを、例えば、撮像素子等により撮像することで、取得している。
【００１７】
なお、本実施形態では、取得部５１は、撮像素子等により発光パターンに係る情報を取得しているが、これに限定されず、例えば、生成部１１により生成される発光パターン信号を赤外線通信等により受信して取得しても良い。
【００１８】
状態監視システムの生成部５２は、取得部５１により取得された発光パターンに係る情報に基づいて、接続障害の原因に係る情報を生成する役目を果たしている。なお、この生成部５２では、接続障害の原因に係る情報の他に、接続障害を解消するための情報（以下、接続障害解消情報という）を生成する役目を果たしている。
【００１９】
状態監視システムの報知部５３は、生成部５２により生成された接続障害の原因に係る情報を、通信端末５０にて利用者に報知する役目を果たしている。具体的には、報知部５３は、取得部５１にて取得した画像を図示しない画像表示部に表示することで、利用者に報知している。
【００２０】
なお、本実施形態では、報知部５３として、画像を表示する画像表示部を例示したが、これに限定されず、例えば、音声等を出力する音声出力部にて、利用者に報知しても良い。
【００２１】
このように、本実施形態の状態監視システムは、発光部にて発光された発光パターンを取得部５１により取得することで、通信端末５０にて直に接続障害が生じた原因を取得しているといえる。また、取得部５１にて取得した発光パターンに係る情報に基づいて、生成部５２により接続障害が生じた原因に係る情報を生成している。そして、報知部５３では、生成部５２にて生成した接続障害が生じた原因に係る情報を通信端末５０にて通知可能にしている。これにより、本実施形態の状態監視システムでは、接続障害が生じた原因に係る情報を、例えば、サーバ等にアクセスして取得する際に生じる待ち時間の短縮を図ることが可能になり、迅速に取得することが可能になるといえる。よって、本実施形態の状態監視システムによれば、接続障害が生じた原因に係る情報を、より迅速に取得することで、接続障害に対する作業効率を向上させることができる。
【００２２】
（状態監視方法）
次に、図２を用いて、本実施形態（第１の実施形態）の状態監視方法について説明する。図２は、本実施形態の状態監視システムにおける状態監視処理のフローチャートである。
【００２３】
ステップＳ１１０において、発光パターン生成処理を行う。具体的には、この処理において、装置１０の生成部１１にて発光パターンを生成する。なお、発光パターンを生成する一態様としては、ＬＥＤ等により発光させる。
【００２４】
ステップＳ１２０において、発光パターン情報取得処理を行う。具体的には、この処理において、通信端末５０の取得部５１にて、上記ステップＳ１１０における装置１０の生成部１１で生成した発光パターンに係る情報を取得する。
【００２５】
ステップＳ１３０において、接続障害が生じた原因に係る情報を生成する。具体的には、この処理において、通信端末５０の生成部５２にて、上記ステップＳ１２０における取得部５１で取得した発光パターンに係る情報に基づいて、接続障害が生じた原因に係る情報を生成する。なお、この処理において、接続障害が生じた原因に係る情報の他に、接続障害解消情報を生成しても良い。
【００２６】
ステップＳ１４０において、発光パターン報知処理を行う。具体的には、この処理において、通信端末５０の報知部５３にて、上記ステップＳ１３０における生成部５２で生成した接続障害が生じた原因に係る情報を報知する。
【００２７】
このように、本実施形態では、装置１０の生成部１１により生成された発光パターンを、通信端末１０の取得部５１にて直に取得している。また、取得部５１にて取得した発光パターンに係る情報に基づいて、生成部５２により接続障害が生じた原因に係る情報を生成している。そして、報知部５３では、生成部５２にて生成した接続障害が生じた原因に係る情報を通信端末５０にて通知可能にしている。これにより、本実施形態では、例えば、サーバを介して取得する場合に要する待ち時間等を短縮することが可能になるといえる。
【００２８】
よって、本実施形態の状態監視方法によれば、接続状態が生じた原因に係る情報を、より迅速に取得することで、接続障害に対する作業効率を向上させることができる。
【００２９】
（第２の実施形態）
図３乃至図６を用いて、本発明の他の実施形態（第２の実施形態）について説明する。まず、図３を用いて、本実施形態（第２の実施形態）の状態監視システムのシステム構成について説明する。図３は、本実施形態（第２の実施形態）の状態監視システムのシステム構成を示すシステム構成図である。
【００３０】
図３に例示されるように、本実施形態の状態監視システムは、生成部（発光パターン生成手段）１１０、取得部（発光パターン情報取得手段）１５１及び報知部（報知手段）１５２を具備している。
【００３１】
なお、本実施形態では、生成部１１０は、第１の生成部１１１、第２の生成部１１２、第３の生成部１１３、第４の生成部１１４、第５の生成部１１５及び第６の生成部１１６からなる。これら第１の生成部１１１、第２の生成部１１２、第３の生成部１１３、第４の生成部１１４、第５の生成部１１５及び第６の生成部１１６は、同一の構成であるため、総称して生成部１１０とし、まとめて説明する。
【００３２】
また、ＬＥＤ表示部１２０は、第１のＬＥＤ表示部１２１、第２のＬＥＤ表示部１２２、第３のＬＥＤ表示部１２３、第４のＬＥＤ表示部１２４、第５のＬＥＤ表示部１２５及び第６のＬＥＤ表示部１２６からなる。これら第１のＬＥＤ表示部１２１、第２のＬＥＤ表示部１２２、第３のＬＥＤ表示部１２３、第４のＬＥＤ表示部１２４、第５のＬＥＤ表示部１２５及び第６のＬＥＤ表示部１２６も、同一の構成である。このため、これらを総称してＬＥＤ表示部１２０とし、まとめて説明する。
【００３３】
生成部１１０は、装置１００の状態に対応させた発光パターンを生成する役目を果たしている。この生成部１１０は、警報収集用端末１０８から警報信号を受信すると、この警報信号に基づいて、発光パターンに係る情報（以下、発光パターン信号という）を生成する。ここで、警報信号とは、接続障害が生じた原因に係る情報に基づいて（例えば、パッケージに接続されるケーブルの断線、パッケージ自体の故障等）、この原因に係る情報を生成している。すなわち、本実施形態では、原因に応じて、複数の警告信号を有しているといえる。なお、この装置１００の生成部１１０の具体的な構成については、図４を用いて後述する。そして、生成部１１０は、発光パターン信号をＬＥＤ表示部１２０に転送する。これにより、ＬＥＤ表示部１２０では、生成部１１０により送信された発光パターン信号に基づいて、ＬＥＤを点灯又は点滅させ、発光パターンを発光している。
【００３４】
取得部１５１は、生成部１１０により生成された発光パターンに係る情報を、通信端末１５０にて取得する役目を果たしている。この取得部１５１は、例えば、ＬＥＤ表示部１２０にて発光している発光パターンを、例えば、図示しない撮像素子等により撮像することで、取得している。
【００３５】
状態監視システムの生成部１５２は、取得部１５１により取得された発光パターンに係る情報に基づいて、接続障害が生じた原因に係る情報を生成する役目を果たしている。まず、生成部１５２は、撮像した発光パターンをデジタル信号に変換する。具体的には、生成部１５２は、ＬＥＤ表示部１２０の点灯を「１」とし、消灯「０」とし、点灯及び消灯の発光パターンをデジタル信号に変換している。また、生成部１５２は、この点灯及び消灯のパターンに点灯時間、消灯時間を付加しておく。これにより、生成部１５２は、点灯及び消灯のパターン、点灯時間、消灯時間を組み合わせ、発光パターンに係る情報を生成している。
【００３６】
ここで、生成部１５２は、発光パターンに係る情報に対応する発光パターン情報として予めデータベースとして記憶しておく。そして、生成部１５２は、生成した発光パターンに係る情報と、データベース内の発光パターンに係る情報とを対比する。生成部１５２は、一致した情報を接続障害が生じた原因に係る情報とし、この接続障害が生じた原因に係る情報を生成している。
【００３７】
また、生成部１５２は、接続障害が生じた原因に係る情報の他に、取得部１５１により取得された発光パターンに係る情報に基づいて、接続障害を解消するための情報（以下、接続障害解消情報という）を生成する役目を果たしている。なお、この接続障害解消情報を生成する場合も、接続障害が生じた原因に係る情報を生成する場合と同様であるため、その説明を省略する。
【００３８】
報知部１５３は、生成部１５２により生成された接続障害が生じた原因に係る情報を、通信端末１５０にて報知する役目を果たしている。報知部１５３の一態様として、取得部１５１にて取得した画像を通信端末１５０の図示しない画像表示部に表示することで、利用者に報知している。
【００３９】
また、報知部１５３の他の態様として、取得部１５１により取得された発光パターンに係る情報に基づいて、音声等を通信端末１５０の図示しない音声出力部により出力することで、接続障害が生じた原因を解消するための手立てを通知している。
【００４０】
このように、本実施形態では、装置１００の生成部１１０により生成された発光パターンを、通信端末１５０の取得部１５１にて直に取得している。これにより、本実施形態では、例えば、サーバ等を介して取得する場合に要する待ち時間等を短縮することが可能になるといえる。よって、本実施形態の状態監視システムによれば、接続状態が生じた原因に係る情報を、より迅速に取得することで、接続障害に対する作業効率を向上させることができる。
【００４１】
また、本実施形態では、生成部１１０は、上述したように、第１の生成部１１１、第２の生成部１１２、第３の生成部１１３、第４の生成部１１４、第５の生成部１１５及び第６の生成部１１６からなる。
【００４２】
そして、本実施形態の取得部１５１は、上述したように、撮像素子等により発光パターンを撮像することで、発光パターンに係る情報を取得している。このため、例えば、複数の生成部１１０により発光パターンが生成され、発光部により発光パターンが発光されたとしても、撮像素子等により一度にまとめて撮像している。
【００４３】
したがって、本実施形態では、複数の生成部１１０により発光パターンが生成されたとしても、これら複数の発光パターンを取得可能であるといえ、一度に複数の情報を取得することが可能になる。ここで、複数の生成部１１０により発光パターンが生成される場合として、例えば、一つの生成部１１０に限らず、一度に複数の生成部１１０に接続障害が生じる場合がある。よって、本実施形態によれば、一度に複数の接続障害が生じたとしても、その原因を一度に取得することで、接続障害に対する作業効率を向上させることができる。
【００４４】
また、本実施形態では、複数の生成部１１０の全てにおいて発光パターンが生成された場合であっても、上述したように、撮像素子等により一度にまとめて撮像している。したがって、複数の生成部１１０の全てにおいて発光パターンが生成されたとしても、その原因を一度に取得することで、接続障害に対する作業効率を向上させることができる。
【００４５】
なお、本実施形態では、接続障害時としてが、これに限定されず、例えば、パッケージ間の接続、パッケージ操作箇所等を撮像素子等により撮像しておくことで、通信端末１５０を見ながら、配線等を行うことが可能になる。これにより、通信端末１５０を見ながら、作業を行うことで、迅速な運用開始が可能になり、作業効率を向上させることができる。
【００４６】
次に、図４及び図５を用いて、生成部１１０について説明する。図４は、本実施形態（第２の実施形態）の状態監視システムにおける生成部１１０のブロック図である。図５は、本実施形態（第２の実施形態）の生成部１１０により生成される発光パターンの一例を示す図である。
【００４７】
図４に例示されるように、生成部１１０は、障害検出部１３０にて障害を検出した場合、この障害検出部１３０からＬＥＤ制御部１４０に障害検出信号を送信する。ＬＥＤ制御部１４０は、障害検出部１３０から障害検出信号を受信すると、発光パターン信号を生成する。そして、ＬＥＤ制御部１４０は、発光パターン信号を生成すると、この発光パターン信号をＬＥＤ表示部１２０に送信する。これにより、ＬＥＤ表示部１２０は、ＬＥＤ制御部１４０から受信した発光パターン信号に基づいて、ＬＥＤを点灯又は点滅させ、発光させる。
【００４８】
図５に例示されるように、発光パターンの一例として、点灯及び消灯を交互に繰り返している。ここで、図５では、各点灯時に点灯時間を異ならせることで、発光パターンを発光している。すなわち、各点灯時における点灯時間の長短を組み合わせることで、多数の発光パターンを生成することが可能になるといえる。
【００４９】
なお、各点灯時における点灯時間は、数値として特に限定されず、例えば、人の目では確認できないくらいの高速で点灯及び消灯を繰り返しても良い。このとき、生成部１５２では、上述したように、デジタル化した点灯及び消灯のパターン、点灯時間、消灯時間を組み合わせて、発光パターンに係る情報を生成している。このため、人の目では確認できないような点滅であっても、生成部１５２では、デジタル化したものに基づいて、発光パターンに係る情報を生成しているため、接続障害が生じた原因に係る情報を生成することが可能である。これにより、高速で点灯及び消灯を繰り返したとしても、接続障害が生じた原因に係る情報を生成でき、人の目では、常時、点灯しているように見え、人の目がチカチカせず、作業性を向上させることが可能になるといえる。
【００５０】
次に、図６を用いて、状態監視システムにおける通信端末１５０の報知部１５３の使用状態について説明する。図６は、本実施形態（第２の実施形態）の状態監視システムにおける報知部１５３の使用状態の一例を示す図である。
【００５１】
図６に例示されるように、通信端末１５０の報知部１５３として、画像表示部（報知部）１５４及び音声出力部（報知部）１５５を具備している。この画像表示部１５４では、表示される画像の一例として、各生成部１１０の表示画像、及びこれら生成部１１０にケーブルが接続されているか否かが表示される。
【００５２】
そして、図６では、この画像表示部１５４に表示される画像の一例として、各生成部１１０のうち、どの生成部１１０においてケーブルが抜けているのか表示している。これにより、利用者は、接続障害が生じた原因として、ケーブルが抜けている旨を把握することが可能であり、さらに、どの生成部１１０においてケーブルが抜けているのかを把握することが可能になる。
【００５３】
また、通信端末１５０の報知部１５３として、音声出力部（報知部）１５５にて出力される音声の一例として、取得部１５１にて取得した発光パターンに係る情報に基づいて、状態を解消するための音声案内が出力される。したがって、音声出力部１５２にて、状態を解消するための案内が通知されることで、利用者が、通信端末１５０を用いて、状態を解消するための手立てを把握することが可能になる。
【００５４】
このように、本実施形態では、装置１００の生成部１１０にて生成された発光パターンを、通信端末１５０の取得部１５１にて直に取得することで、例えば、サーバを介して取得する際に要する待ち時間の短縮を図ることが可能になる。よって、本実施形態によれば、接続障害が生じた原因を、より迅速に取得することで、接続障害に対する作業効率を向上させることができる。
【００５５】
また、本実施形態によれば、接続障害が生じた原因とともに、この原因を解消するための手立てを、取得部１５１にて直に取得することで、接続障害に対する作業効率を向上させることができる。
【００５６】
なお、本実施形態の他例として、接続障害が生じた原因に係る情報を取得し、この原因に対する保守作業を行ったにもかからず、復旧しない場合には、再度、接続障害が生じた原因に係る情報を取得することも可能である。この場合、例えば、メンテナンス用端末９０９等を用いて、接続障害が生じた原因に係る情報を解析し、新たな接続障害が生じた原因に係る情報を取得すると良い。また、例えば、取得した接続障害が生じた原因に係る情報を通信端末１５０から装置１００に戻し、この装置１００にて一致しているか否かを判定する。そして、一致していないと判定した場合には、改めて、通信端末１５０にて発光パターンを読み取らせるようにしても良い。
【００５７】
また、本実施形態では、上述したように、各生成部１１０、例えば、第１の生成部１１１に一つのＬＥＤ表示部１２１を搭載し、この一つのＬＥＤ表示部１２１により、種々の発光パターンを発光させ、接続障害が生じた原因に係る情報を生成している。
【００５８】
ここで、例えば、図７乃至図９に例示されるように、各生成部９１０、例えば、第１の生成部９１１に複数のＬＥＤ表示部９２１を搭載し、これら複数のＬＥＤ表示部９２１を点灯又は消灯させたものをパターンとし、接続障害が生じた原因に係る情報を生成している。
【００５９】
この図７乃至図９に例示されるような装置９００に対し、本実施形態の装置１００では、上述したように、第１の生成部１１１に一つのＬＥＤ表示部１２１を搭載しただけで、接続障害が生じた原因に係る情報を生成している。このため、本実施形態の装置１００では、ＬＥＤ表示部の数を減少させることが可能となり、低コスト化を図ることが可能になるといえる。
【符号の説明】
【００６０】
１１    生成部
５０    通信端末
５１    取得部
５３    報知部
１００    装置
１１０    生成部
１２０    ＬＥＤ表示部
１３０    障害検出部
１４０    ＬＥＤ制御部
１５０    通信端末
１５１    取得部
１５３    報知部
【図１】
2016006595.tif 000003
【図２】
2016006595.tif 000004
【図３】
2016006595.tif 000005
【図４】
2016006595.tif 000006
【図５】
2016006595.tif 000007
【図６】
2016006595.tif 000008
【図７】
2016006595.tif 000009
【図８】
2016006595.tif 000010
【図９】
2016006595.tif 000011